(57)【要約】      （修正有）【課題】アロマオイルの液漏れを防止した芳香器を提供する。【解決手段】芳香器は、アロマオイル１００の注入口である容器開口部１ａを有し、アロマオイル１００を含浸させる吸収部材を内部に充填させてなる容器本体１と、基材３ａに触媒金属３ｂを付着させた触媒燃焼体３と、容器開口部１ａに対向して連通される導入開口部を有し、導入開口部近傍に触媒燃焼体３を支持して容器開口部１ａに触媒燃焼体３を隣接させる介在部と、を備える。【選択図】図１
2013111199.tif 000002
【特許請求の範囲】
【請求項１】
アロマオイルの注入口である容器開口部を有し、当該アロマオイルを含浸させる吸収部材を内部に充填させてなる容器本体と、
基材に触媒金属を付着させた触媒燃焼体と、
前記容器開口部に対向して連通される導入開口部を有し、当該導入開口部近傍に前記触媒燃焼体を支持して前記容器開口部に前記触媒燃焼体を隣接させる介在部と、
を備えることを特徴とする芳香器。
【請求項２】
前記請求項１に記載の芳香器において、
前記容器本体が、前記容器開口部をなす瓶口に雄ねじを有する瓶形状であり、
前記触媒燃焼体の基材が、多孔質材料で形成され、
前記介在部が、前記触媒燃焼体の一端を装入する凹部を一端面側に有し、前記容器本体の雄ねじに螺合する雌ねじを他端面側に有すると共に、当該凹部及び雌ねじの中心が、同軸上にあり、当該凹部及び雌ねじが、前記一端面及び他端面間を貫通する貫通孔を構成することを特徴とする芳香器。
【請求項３】
前記請求項２に記載の芳香器において、
前記容器本体の容器開口部内に係合し、内設される弾性部材を介して前記容器本体内の吸収部材の一部を前記触媒燃焼体に押圧して支持する支持部を備えることを特徴とする芳香器。
【請求項４】
前記請求項１に記載の芳香器において、
前記触媒燃焼体近傍に配設され、電流を流してジュール熱を発生する抵抗発熱体を備え、
前記介在部が、前記触媒燃焼体及び抵抗発熱体を内包することを特徴とする芳香器。
【請求項５】
前記請求項４に記載の芳香器において、
前記容器本体が、一側面側に凹部を有する密閉容器であり、当該凹部をなす内壁に前記容器開口部を有し、
前記介在部が、前記容器本体の内壁に対向する側面を有し、前記容器本体の凹部に嵌合する形状であり、当該側面に前記導入開口部を有することを特徴とする芳香器。
【発明の詳細な説明】
【技術分野】
【０００１】
この発明は、アロマテラピーに使用する芳香器に関し、特に、容器本体からアロマオイルの液漏れを防止することができる芳香器に関するものである。
【背景技術】
【０００２】
従来の芳香器は、芳香液と、芳香液を貯留する容器本体と、略中央付近が芳香液に浸漬されたループ状の灯芯と、灯芯挿通孔及び窪み部を有する容器蓋と、窪み部に載置されるバーナ受けと、芯端部と接続し、白金触媒が塗布された多孔質セラミックスからなるバーナと、バーナをバーナ受けに対して非接触の状態で固定支持する支持スプリングとを具備する（例えば、特許文献１参照）。
【先行技術文献】
【特許文献】
【０００３】
【特許文献１】特開２００３−１９０２６８号公報
【発明の概要】
【発明が解決しようとする課題】
【０００４】
従来の芳香器は、未使用時に被せる磁器製の小キャップ及び外キャップを備えているが、容器蓋及び容器本体が磁器製であり、小キャップ及び容器蓋間並びに外キャップ及び容器本体間に封止部材を用いているものでもなく、螺合しているものでもないため、密閉性が低い。このため、従来の芳香器は、傾倒した場合に、芳香液が容器本体及び容器蓋の外部に液漏れするという課題がある。
【０００５】
この発明は、上述のような課題を解決するためになされたもので、芳香器が傾倒した場合であっても、芳香液（アロマオイル）が容器本体から液漏れすることがなく、横置きでも運搬可能な芳香器を提供することを目的とする。
【課題を解決するための手段】
【０００６】
この発明に係る芳香器においては、アロマオイルの注入口である容器開口部を有し、当該アロマオイルを含浸させる吸収部材を内部に充填させてなる容器本体と、基材に触媒金属を付着させた触媒燃焼体と、容器開口部に対向して連通される導入開口部を有し、当該導入開口部近傍に触媒燃焼体を支持して容器開口部に触媒燃焼体を隣接させる介在部と、を備えるものである。
【発明の効果】
【０００７】
この発明に係る芳香器においては、アロマオイルの注入口である容器開口部を有し、当該アロマオイルを含浸させる吸収部材を内部に充填させてなる容器本体と、基材に触媒金属を付着させた触媒燃焼体と、容器開口部に対向して連通される導入開口部を有し、当該導入開口部近傍に触媒燃焼体を支持して容器開口部に触媒燃焼体を隣接させる介在部と、を備えることにより、芳香器が傾倒した場合でもアロマオイルが液漏れすることがないものである。
【図面の簡単な説明】
【０００８】
【図１】（ａ）は第１の実施形態に係る芳香器の概略構成を示す正面図であり、（ｂ）は図１（ａ）に示す芳香器の矢視Ａ−Ａ線の断面図である。
【図２】（ａ）は図１に示す容器本体及び支持部の概略構成を示す斜視図であり、（ｂ）は図１に示す容器蓋の概略構成を示す斜視図であり、（ｃ）は図１に示す触媒燃焼体の概略構成を示す正面図であり、（ｄ）は図１に示す介在部の概略構成を示す斜視図である。
【図３】（ａ）は図１に示す密封キャップの概略構成を示す斜視図であり、（ｂ）は図１に示すガードの概略構成を示す斜視図であり、（ｃ）は図１に示す装飾容器の概略構成を示す斜視図である。
【図４】第２の実施形態に係る芳香器の概略構成を示す平面図である。
【図５】図４に示す芳香器の矢視Ｂ−Ｂ線の断面図である。
【発明を実施するための形態】
【０００９】
（本発明の第１の実施形態）
芳香器１０は、図１乃至図３に示すように、後述する、容器本体１、吸収部材２（アロマオイル１００）、触媒燃焼体３及び介在部４を備え、必要に応じて、支持部５、密封キャップ６、ガード７、容器蓋８及び装飾容器９を備える。
【００１０】
容器本体１は、図１（ｂ）及び図２（ａ）に示すように、アロマオイル１００の注入口である容器開口部１ａを有し、アロマオイル１００を含浸させる吸収部材２を内部に充填させてなる。なお、本実施形態に係る容器本体１は、容器開口部１ａを上端に有し、容器開口部１ａをなす瓶口に雄ねじ１ｂを有する瓶形状（樹脂製の瓶）であるが、瓶口に雄ねじ１ｂを形成できるのであれば、樹脂製に限られるものではない。
【００１１】
また、アロマオイル１００は、既存の植物性オイルであり、イソプロピルアルコール等のアルコール類（可燃性液体）に精油（エッセンシャルオイル）を含ませて作成することができる。アルコール類としては、人体の体温程度の低温加熱状態（３５〜４２℃）を維持できるイソプロピルアルコールが好ましい。イソプロピルアルコールと精油との配合割合としては、イソプロピルアルコール９３％〜９７％に対して、精油を３〜７％とすることが好ましい。この理由としては、イソプロピルアルコールの配合割合が９３％未満の場合には、白金の低温加熱状態（３５〜４２℃）を維持できないためであり、精油の配合割合が３％より小さい場合には、精油の香料としての効果が得られないためである。
【００１２】
また、吸収部材２は、綿やスポンジなどの吸水性に富む素材であり、アロマオイル１００を含浸し、容器本体１からのアロマオイル１００の液漏れを防ぐことができる。なお、本実施形態においては、吸収部材２として綿２ａを用いているが、容器本体１の容器開口部１ａにアロマオイル１００を導く毛管現象が生じるのであれば、綿２ａに限られるものではない。
【００１３】
触媒燃焼体３は、図１（ｂ）及び図２（ｃ）に示すように、基材３ａの表面に白金、ロジウム又はパラジウム等の触媒金属３ｂを付着させたものである。なお、本実施形態に係る触媒燃焼体３は、触媒金属３ｂとしての白金触媒を含む塗料を、多孔質材料で形成される基材３ａ（例えば、セラミック部材）の表面に塗布しており、基材３ａの中心軸に沿って通気口となる貫通孔３ｃを有するバーナである。
【００１４】
介在部４は、図１（ｂ）及び図２（ｄ）に示すように、容器開口部１ａに対向して連通される導入開口部４ａを有し、導入開口部４ａ近傍に触媒燃焼体３を支持して容器開口部１ａに触媒燃焼体３を隣接させる。なお、本実施形態に係る介在部４は、触媒燃焼体３の一端を装入する凹部４ｂを一端面側に有し、容器本体１の雄ねじ１ｂに螺合する雌ねじ４ｃを他端面側に有すると共に、凹部４ｂ及び雌ねじ４ｃの中心が、同軸上にあり、凹部４ｂ及び雌ねじ４ｃが、一端面及び他端面間を貫通する導入開口部４ａを構成する。
また、介在部４は、一端面側に凹部４ｂを包囲する段差部４ｄを有し、凹部４ｂに挿入される燃焼状態の触媒燃焼体３により介在部４が燃焼（溶解）しないように金属（例えば、ステンレス）製部材４ｅを段差部４ｄ内に配設している。なお、本実施形態に係る介在部は、木製の外枠４ｆに樹脂製の雌ねじ４ｃを内設しているが、外枠４ｆと雌ねじ４ｃを一体に成型してもよく、外枠４ｆを金属製にすることで、金属製部材４ｅを省略してもよい。
また、本実施形態に係る介在部４は、外枠４ｆがガード７と嵌合する外周を有する外枠上部４ｇ及び装飾容器９と嵌合する外周を有する外枠下部４ｈからなる。
【００１５】
支持部５は、図１（ｂ）及び図２（ａ）に示すように、容器本体１の容器開口部１ａ内に係合（嵌合又は螺合）し、内設される弾性部材５ａを介して容器本体１内の吸収部材２の一部を触媒燃焼体３に押圧して支持する。なお、本実施形態に係る支持部５は、容器本体１の容器開口部１ａ内に嵌合する略円筒状の本体部５ｂと、本体部５ｂの外側面に周設して容器本体１の上端に係合するフランジ（以下、上側フランジ５ｃと称す）と、本体部５ｂの内側面に周設して弾性部材５ａ（例えば、コイルばね）を内側で支持するフランジ（以下、内側フランジ５ｄと称す）と、中心に貫通孔を有する皿形の部材に円筒の部材を接合した受け皿部５ｅを備える。
受け皿部５ｅは、弾性部材５ａを介して本体部５ｂに支持され、円筒部材及び皿形部材（貫通孔）の中心、弾性部材５ａであるコイルばねの中心、並びに、略円筒状の本体部５ｂの中心を挿通する吸収部材２の一部を、皿形部材上で露出させて支持する。
【００１６】
密封キャップ６は、図３（ａ）に示すように、縁端部に周設される封止部材６ａ（例えば、Ｏリング）を介して介在部４の段差部４ｄに圧接し、触媒燃焼体３への酸素の供給を停止させ、燃焼状態の触媒燃焼体３の触媒金属３ｂを消火するためのステンレス製の蓋である。
特に、芳香器１０は、密封キャップ６が封止部材６ａを介して介在部４の段差部４ｄに圧接されることで、密封キャップ６及び介在部４により容器本体１を密閉し、容器本体１からのアロマオイル１００の液漏れを防ぎ、容器本体１、吸収部材２（アロマオイル１００）、支持部５、触媒燃焼体３、介在部４及び密封キャップ６を一体として、運搬することができる。
【００１７】
ガード７は、図１及び図３（ｂ）に示すように、必要に応じて側面に貫通孔７ａを有する筒状の木製部材であり、外枠上部４ｇと嵌合して介在部４上に載置され、触媒燃焼体３を周囲から隔離して、燃焼状態の触媒燃焼体３に対する芳香器１０の使用者による接触を抑制する。
【００１８】
容器蓋８は、図２（ｂ）に示すように、容器本体１の雄ねじ１ｂに螺合する雌ねじ８ａを有する蓋であり、芳香器１０の未使用時に、触媒燃焼体３及び介在部４を容器本体１から取り外し、容器本体１の雄ねじ１ｂに螺合することにより、容器本体１を密閉する。これにより、芳香器１０は、容器本体１からのアロマオイル１００の液漏れを防ぎ、容器本体１、吸収部材２（アロマオイル１００）及び容器蓋８を一体として、触媒燃焼体３及び介在部４と別個に運搬することができる。
【００１９】
装飾容器９は、図１及び図３（ｃ）に示すように、容器本体１の外形に略同一の内部形状であり、介在部４の外枠下部４ｈと嵌合して、容器本体１を被覆する木製の容器であり、ある程度の重量を有することで、容器本体１の傾倒を防止することができる。
【００２０】
つぎに、本実施形態に係る芳香器１０の取扱方法について説明する。
まず、芳香器１０の使用者は、容器開口部１ａから容器本体１内にアロマオイル１００を注ぎ、容器本体１内に充填した綿２ａにアロマオイル１００を含浸させる。
そして、芳香器１０の使用者は、容器本体１の容器開口部１ａに支持部５を嵌合し、容器本体１内の綿２ａを支持部５の中心を挿通して、受け皿部５ｅ上で綿２ａの一部を露出させて支持させる。
【００２１】
ここで、芳香器１０を使用しない場合には、容器本体１に容器蓋８をすることで、容器本体１を密閉し、容器本体１からのアロマオイル１００の液漏れを防ぎ、芳香器１０の持ち運びを簡便にすることができる。
【００２２】
また、芳香器１０を使用する場合には、触媒燃焼体３の一端を介在部４の凹部４ｂに装入し、介在部４の雌ねじ４ｃを容器本体１の雄ねじ１ｂに螺合する。これにより、支持部５の受け皿部５ｅ上の綿２ａが、触媒燃焼体３の一端に当接して触媒燃焼体３を鉛直上方に担持すると共に、支持部５の弾性部材５ａが、鉛直方向における触媒燃焼体３の位置を調整することになる。
【００２３】
また、支持部５の受け皿部５ｅ上の綿２ａが、触媒燃焼体３の一端に当接することにより、綿２ａに含浸させたアロマオイル１００が、多孔質材料で形成された触媒燃焼体３（セラミックス部材）に浸透することになる。
【００２４】
ここで、芳香器１０を使用しない場合には、介在部４の段差部４ｄに密封キャップ６を圧接することで、密封キャップ６及び介在部４により容器本体１を密閉し、容器本体１からのアロマオイル１００の液漏れを防ぎ、芳香器１０の持ち運びを簡便にすることができる。
【００２５】
また、芳香器１０を使用する場合には、触媒燃焼体３及び介在部４を取付けた容器本体１を装飾容器９内に嵌装する。
そして、芳香器１０の使用者は、マッチなどによる炎を触媒燃焼体３に近づけ、触媒燃焼体３から蒸発するアロマオイル１００に含有される可燃性液体の蒸気に点火し、触媒燃焼体３が高温状態になるまで（例えば、２分間程度）、触媒燃焼体３に浸透したアロマオイル１００（可燃性液体）を燃焼させる。この場合に、アロマオイル１００に含有される芳香成分は、周囲に拡散することになる。
【００２６】
そして、芳香器１０の使用者は、所定の時間が経過する（触媒燃焼体３が高温状態になる）と、触媒燃焼体３の火を吹き消し、介在部４上にガード７を載置させ、触媒燃焼体３を周囲から隔離する。なお、触媒燃焼体３は、火を吹き消した後も、触媒作用により長時間に亘って高温状態を持続することができ、容器本体１内の綿２ａに含浸させたアロマオイル１００を吸い上げ、アロマオイル１００に含有される芳香成分を周囲に拡散させることができる。
【００２７】
そして、芳香器１０の使用を終了する場合には、介在部４の段差部４ｄに密封キャップ６を圧接することで、密封キャップ６及び介在部４により容器本体１を密閉し、触媒燃焼体３への酸素の供給を停止させ、燃焼状態の触媒燃焼体３の触媒金属３ｂを消火する。なお、芳香器１０は、密封キャップ６及び介在部４により容器本体１を密閉することにより、容器本体１からのアロマオイル１００の液漏れを防ぎ、芳香器１０の持ち運びを簡便にすることができる。
【００２８】
以上のように、本実施形態に係る芳香器１０は、容器本体１内に吸収部材２を充填させ、吸収部材２にアロマオイル１００を含浸させることにより、芳香器１０が傾倒した場合であっても、容器本体１からのアロマオイル１００の液漏れを防止することができるという作用効果を奏する。
【００２９】
特に、芳香器１０の未使用時に、密封キャップ６及び介在部４により容器本体１を密閉することにより、容器本体１からのアロマオイル１００の液漏れを防ぎ、容器本体１、吸収部材２（アロマオイル１００）、支持部５、触媒燃焼体３、介在部４及び密封キャップ６を一体として、芳香器１０の持ち運びを簡便にすることができるという作用効果を奏する。
【００３０】
また、芳香器１０の未使用時に、触媒燃焼体３及び介在部４を容器本体１から取り外し、容器蓋８により容器本体１を密閉することにより、容器本体１からのアロマオイル１００の液漏れを防ぎ、容器本体１、吸収部材２（アロマオイル１００）及び容器蓋８を一体として、触媒燃焼体３及び介在部４と別個に運搬することができ、芳香器１０の持ち運びを簡便にすることができるという作用効果を奏する。
【００３１】
（本発明の第２の実施形態）
図４は第２の実施形態に係る芳香器の概略構成を示す平面図である。図５は図４に示す芳香器の矢視Ｂ−Ｂ線の断面図である。図４及び図５において、図１乃至図３と同じ符号は、同一または相当部分を示し、その説明を省略する。
【００３２】
芳香器２０は、図４及び図５に示すように、第１の実施形態において前述した吸収部材２（アロマオイル１００）、並びに、後述する、容器本体１１、抵抗発熱体１２、触媒燃焼体１３及び介在部１４を備える。
【００３３】
容器本体１１は、アロマオイル１００の注入口である容器開口部１１ａを有し、アロマオイル１００を含浸させる吸収部材２（例えば、綿２ａ）を内部に充填させてなる。なお、本実施形態に係る容器本体１１は、一側面側に凹部１１ｂを有する略灰皿形状の密閉容器であり、凹部１１ｂをなす内壁１１ｃに容器開口部１１ａを有する。特に、本実施形態に係る容器本体１１は、内壁１１ｃが円筒形状である。
【００３４】
抵抗発熱体１２は、触媒燃焼体１３近傍に配設され、電流を流してジュール熱を発生し、触媒燃焼体１３を点火するものである。なお、本実施形態に係る抵抗発熱体１２は、電熱線１２ａであり、図示しない点火器（乾電池）を接点１２ｂに接続して、リード線１２ｃを介して電熱線１２ａに電流を流すことになる。
【００３５】
触媒燃焼体１３は、基材１３ａの表面に白金、ロジウム又はパラジウム等の触媒金属１３ｂを付着させたものである。なお、本実施形態に係る触媒燃焼体１３は、ガラス繊維などで構成される基材３ａに白金触媒を塗布したものである。
【００３６】
介在部１４は、容器開口部１１ａに対向して連通される導入開口部１４ａを有し、導入開口部１４ａ近傍に触媒燃焼体１３を支持して容器開口部１１ａに触媒燃焼体１３を隣接させる。なお、本実施形態に係る介在部１４は、容器本体１１の内壁１１ｃに対向する側面１４ｂを有し、容器本体１１の凹部１１ｂに嵌合する形状であり、側面１４ｂに導入開口部１４ａを有する。また、介在部１４は、保持部材１４ｃにより触媒燃焼体１３を保持して、触媒燃焼体１３及び抵抗発熱体１２を内包し、抵抗発熱体１２の接点１２ｂを露出させている。
【００３７】
なお、介在部１４は、容器本体１１に対して鉛直方向に引き上げて容器本体１１からの取り外しが可能であり、容器本体１１から介在部１４を取り外すことで、容器本体１１の容器開口部１１ａを露出させ、容器開口部１１ａからアロマオイル１００を補充することができる。
【００３８】
なお、この第２の実施形態においては、触媒燃焼体１３を点火するための構造が異なるところのみが第１の実施形態と異なるところであり、後述する抵抗発熱体１２による作用効果以外は、第１の実施形態と同様の作用効果を奏する。
【００３９】
本実施形態に係る芳香器２０においては、マッチなどの火を使用せず、点火器（乾電池）を使用して触媒燃焼体１３を点火することができるので、安全且つ取扱が簡便であるという作用効果を奏する。
【００４０】
特に、本実施形態に係る芳香器２０は、吸収部材２にアロマオイル１００を含浸させ、容器本体１からのアロマオイル１００の液漏れを防止し、略灰皿形状の容器本体１１が芳香器２０の薄型化を図ることができるため、使用中の芳香器２０を携帯することができるという作用効果を奏する。
【００４１】
なお、使用中の芳香器２０を携帯する場合には、容器本体１１からの介在部１４の脱落を防止するため、図示しない係止手段（例えば、容器本体１１の内壁１１ｃに形成した雌ねじと介在部１４の側面１４ｂに形成した雄ねじとによる螺合、容器本体１１の凹部（凸部）と介在部１４の凸部（凹部）とによる係合、かしめ、ビス止め、容器本体１１に係合して介在部１４を被覆するカバーなど）により、容器本体１１に介在部１４を係止することが好ましい。
【００４２】
また、本実施形態に係る芳香器２０は、容器本体１１が略灰皿形状であり、内壁１１ｃが円筒形状であると共に、介在部１４が容器本体１１に嵌合する形状であることにより、容器本体１１に対して介在部１４を回動させるだけで、介在部１４の導入開口部１４ａが
容器本体１１の容器開口部１１ａに対向しなくなる。これにより、アロマオイル１００に含有される可燃性液体の蒸気が、触媒燃焼体１３に供給されなくなり、芳香器２０の使用を一時的に停止することができるという作用効果を奏する。
【符号の説明】
【００４３】
１      容器本体
１ａ    容器開口部
１ｂ    雄ねじ
２      吸収部材
２ａ    綿
３      触媒燃焼体
３ａ    基材
３ｂ    触媒金属
３ｃ    貫通孔
４      介在部
４ａ    導入開口部
４ｂ    凹部
４ｃ    雌ねじ
４ｄ    段差部
４ｅ    金属製部材
４ｆ    外枠
４ｇ    外枠上部
４ｈ    外枠下部
５      支持部
５ａ    弾性部材
５ｂ    本体部
５ｃ    上側フランジ
５ｄ    内側フランジ
５ｅ    受け皿部
６      密封キャップ
６ａ    封止部材
７      ガード
７ａ    貫通孔
８      容器蓋
９      装飾容器
１０    芳香器
１１    容器本体
１１ａ  容器開口部
１１ｂ  凹部
１１ｃ  内壁
１２    抵抗発熱体
１２ａ  電熱線
１２ｂ  接点
１２ｃ  リード線
１３    触媒燃焼体
１３ａ  基材
１３ｂ  触媒金属
１４    介在部
１４ａ  導入開口部
１４ｂ  側面
１４ｃ  保持部材
２０    芳香器
１００  アロマオイル
【図１】
2013111199.tif 000003
【図２】
2013111199.tif 000004
【図３】
2013111199.tif 000005
【図４】
2013111199.tif 000006
【図５】
2013111199.tif 000007